(57)【要約】【課題】この発明は、簡易な構成で、且つ、簡便にして容易に高品質なユニット着脱作業を実現し得るようにすることにある。【解決手段】機器筐体１０の収容溝１１内に位置決め部材１２に対向して移動部材１３を溝方向に移動操作自在に設けると共に、この位置決め部材１２と移動部材１３との間に一対の押圧部材１７（１７）を、移動部材１３の移動に連動して溝方向と直交する方向に移動自在に設けて、この一対の押圧部材１７（１７）の各押圧面１７１と収容溝１１の両側壁との間にそれぞれカード型ユニット２１を挿抜するユニット挿抜溝２０を形成し、移動部材１３の溝方向への移動操作により一対の押圧部材１７（１７）の各押圧面１７１を、収容溝１１の側壁に対向して接離移動させてユニット挿抜溝２０へのカード型ユニット２１の挿抜を実現するように構成したものである。【選択図】図１
2010283026.tif 000002
【特許請求の範囲】
【請求項１】
発熱部品の搭載されたカード型ユニットと、
このカード型ユニットの対向する両辺が挿抜自在に収容される一対の収容溝が設けられた機器筐体と、
この機器筐体の一対の収容溝内にそれぞれ収容配置されて、各収容溝の両側壁との間にユニット挿抜溝がそれぞれ形成されるものであって、位置決め部材に対して移動部材が溝方向に移動調整自在に設けられた固定駆動部と、
この固定駆動部の移動部材と位置決め部材との間に、前記溝方向と直交する方向に移動自在に設けられ、前記収容溝に形成されるユニット挿抜溝にそれぞれ挿入された前記カード型ユニットを側壁に押圧して圧接固定する一対の押圧部材と、
この一対の押圧部材を前記収容溝と直交する方向に移動可能に弾性結合する弾性部材と、
前記固定駆動部の移動部材を前記位置決め部材に対して前記溝方向に移動操作して前記一対の押圧部材間を弾性部材の付勢力に抗して移動させ、前記収容溝内のユニット挿抜溝に挿入された前記カード型ユニットを該収容溝の側壁に圧接固定して熱的に結合させる固定操作部と、
を具備することを特徴とするカード固定装置。
【請求項２】
前記弾性部材は、付勢力を前記一対の押圧部材に対して接方向に付与し、前記固定駆動部の移動部材が前記位置決め部材に対して離間する方向に移動されると、付勢力により、前記一対の押圧部材を接方向に移動付勢して押圧を解除することを特徴とする請求項１記載のカード固定装置。
【請求項３】
前記固定駆動部は、前記収容溝に対して中心位置調整機構を備えることを特徴とする請求項１又は２記載のカード固定装置。
【請求項４】
前記機器筐体は、飛翔体に搭載されることを特徴とする請求項１乃至３のいずれか記載のカード固定装置。
【発明の詳細な説明】
【技術分野】
【０００１】
この発明は、例えば通信機器等の電子機器に係り、特にその回路基板等のカード型ユニットを収容配置するのに用いるカード固定装置に関する。
【背景技術】
【０００２】
一般に、カード型ユニットは、電子部品等の発熱部品がプリント配線基板に実装されて、通信機器等の所望の電子機器が構成されている。このようなカード型ユニットは、複数個が、機器筐体に設けた複数の収容溝にそれぞれ収容されて並設配置され、所望の電子機器システムを構築する。
【０００３】
ところで、このようなカード型ユニットは、そのプリント配線基板に実装した発熱部品が駆動されると、発熱し、温度が高くなると、性能が低下されることで、所望の性能を確保するために、発熱部品の熱制御が必要とされている。
【０００４】
また、カード型ユニットは、例えば航空機等の飛翔体に搭載して使用に供するような場合、その使用時、強い振動の影響を受けることがあるために、その設置状態において、耐振動性を備えることが必要とされている。
【０００５】
そこで、カード型ユニットにおいては、カード固定装置を用いて機器筐体に対して耐振動性を確保したうえで、その発熱部品からの熱を、機器筐体の外に効率良く排熱するように機器筐体内に収容配置される。
【０００６】
このようなカード固定装置としては、機器筐体に溝状の一対のカードガイドを形成して、このカードガイドに対して回路基板の両側を挿入した後、回路基板の一方の面側に楔部材を挿入して、この楔部材を操作して回路基板の他方の面側をガイドの側壁に押圧することで、カードガイド内に位置決め固定する構成のものが知られている（例えば、特許文献１参照。）。
【先行技術文献】
【特許文献】
【０００７】
【特許文献１】特開２００２−１５１８６５号公報
【発明の概要】
【発明が解決しようとする課題】
【０００８】
しかしながら、上記特許文献１に開示されるカード固定装置では、回路基板を機器筐体のカードガイドに挿入して、回路基板の両側を、楔部材を用いてカードガイドの側壁に押圧して取付ける構成のために、回路基板毎に２個の楔部材を用いてカードガイドに取付けなければならないことで、その基板着脱作業が非常に面倒であるという問題を有する。
【０００９】
この発明は、上記の事情に鑑みてなされたもので、簡易な構成で、且つ、簡便にして容易に高品質なユニット着脱作業を実現し得るようにしたカード固定装置を提供することを目的とする。
【課題を解決するための手段】
【００１０】
この発明は、発熱部品の搭載されたカード型ユニットと、このカード型ユニットの対向する両辺が挿抜自在に収容される一対の収容溝が設けられた機器筐体と、この機器筐体の一対の収容溝内にそれぞれ収容配置されて、各収容溝の両側壁との間にユニット挿抜溝がそれぞれ形成されるものであって、位置決め部材に対して移動部材が溝方向に移動調整自在に設けられた固定駆動部と、この固定駆動部の移動部材と位置決め部材との間に、前記溝方向と直交する方向に移動自在に設けられ、前記収容溝に形成されるユニット挿抜溝にそれぞれ挿入された前記カード型ユニットを側壁に押圧して圧接固定する一対の押圧部材と、この一対の押圧部材を前記直交する方向に移動可能に弾性結合する弾性部材と、前記固定駆動部の移動部材を前記位置決め部材に対して前記溝方向に移動操作して前記一対の押圧部材間を弾性部材の付勢力に抗して移動させ、前記収容溝内のユニット挿抜溝に挿入された前記カード型ユニットを該収容溝の側壁に圧接固定して熱的に結合させる固定操作部とを備えてカード固定装置を構成した。
【００１１】
上記構成によれば、カード型ユニットは、その両辺が機器筐体の一対の収容溝の各ユニット挿抜溝間に挿入され、固定操作部が操作されると、固定駆動部の移動部材が位置決め部材に向かって溝方向に移動され、これに応動して弾性部材を介して弾性結合された一対の押圧部材が溝方向と直交する方向に移動されて、収容溝の側壁に圧接固定させることにより、機器筐体に対して所望の耐振動性を有して熱的に結合されて組付けられる。これにより、２つのカード型ユニットを、機器筐体の一対の収容溝内にそれぞれ配した一対、２組の押圧部材で、該一対の収容溝に圧接固定することが可能となり、ユニット固定に供する構成部品の軽減を図ったうえで、簡便にして容易なユニット着脱作業を実現することが可能となる。
【発明の効果】
【００１２】
以上述べたように、この発明によれば、簡易な構成で、且つ、簡便にして容易に高品質なユニット着脱作業を実現し得るようにしたカード固定装置を提供することができる。
【図面の簡単な説明】
【００１３】
【図１】この発明の一実施の形態に係るカード固定装置の要部を分解して示した分解斜視図である。
【図２】図１の固定駆動部押圧部材を取出して示した斜視図である。
【図３】図２を分解して示した分解斜視図である。
【図４】図２の中心部を溝方向に断面して示した断面図である。
【図５】図２の位置決め部材を溝方向と直交する方向に断面して示した断面図である。
【図６】図１を収容溝上から見た状態を示した平面図である。
【図７】図６を収容溝の溝方向から見た状態を示した平面図である。
【図８】図６にカード型ユニットを挿入した状態を示した平面図である。
【図９】図７にカード型ユニットを挿入した状態を示した平面図である。
【図１０】図８の挿入したカード型ユニットを圧接固定した状態を示した平面図である。
【図１１】図９の挿入したカード型ユニットを圧接固定した状態を示した平面図である。
【発明を実施するための形態】
【００１４】
以下、この発明の実施の形態について、図面を参照して詳細に説明する。
【００１５】
図１は、この発明の一実施の形態に係るカード固定装置を示すもので、機器筐体１０は、例えば航空機に搭載されて使用に供され、その内壁の対向する両面には、対を構成する凹状の収容溝１１が、例えば複数対所定の間隔に並設されている。
【００１６】
また、機器筐体１０には、その上記一対の収容溝１１の底面にそれぞれ固定駆動部を構成する位置決め部材１２と移動部材１３が所定の間隔に配される。このうち位置決め部材１２は、上記移動部材１３に対向する一方端に台形状の傾斜係合部１２１が設けられる（図２及び図３参照）。
【００１７】
この位置決め部材１２には、中心位置調整機構を構成する、例えば２個の取付孔１２２（図４及び図５参照）が収容溝１１の底面に形成された螺子孔１１１（図１参照）に対応して溝方向（矢印Ａ，Ｂ方向）と直交する方向（矢印Ｃ，Ｄ方向）に所定の間隔を有して設けられる。そして、この位置決め部材１２の取付孔１２２には、固定ボルト１４の中間部がそれぞれ所望の遊びを有して挿通される（図４及び図５参照）。
【００１８】
この固定ボルト１４は、位置決め部材１２の取付孔１２２に挿通された後、収容溝１１の螺子孔１１１に螺着されて位置決め部材１２を収容溝１１の底面に矢印Ｃ，Ｄ方向に若干の自由を有して支持する。また、位置決め部材１２には、その中心部に連結用挿通孔１２３が上記収容溝１１の溝方向に沿って設けられる。
【００１９】
他方の移動部材１３は、位置決め部材１２に対向する一方端に台形状の傾斜係合部１３１が設けられる。そして、この移動部材１３には、中心位置調整機構を構成する、例えば２個の取付長孔１３２が収容溝１１の底面に形成された螺子孔１１２（図１参照）に対応して矢印Ｃ，Ｂ方向に所定の間隔を有して設けられ、これら取付長孔１３２には、固定ボルト１５の中間部がそれぞれ所定の遊びを有すると共に、矢印Ａ，Ｂ方向に移動自在に挿通される。
【００２０】
この固定ボルト１５は、移動部材１３の取付長孔１３２に挿通された後、収容溝１１の螺子孔１１２に螺合調整自在に螺合され、その螺合調整により、移動部材１３を、矢印Ｃ，Ｄ方向に若干の自由を持たせて支持すると共に、その取付長孔１３２に沿って矢印Ａ，Ｂ方向に移動可能に支持する（図４参照）。
【００２１】
また、移動部材１３には、螺子孔１３３が位置決め部材１２の連結用挿通孔１２３に対向して設けられる。そして、この移動部材１３の螺子孔１３２には、上記位置決め部材１２の挿通孔１２３に遊挿された固定操作部を構成する操作シャフト１６の先端部が螺合自在に螺着される。これにより、操作シャフト１６は、位置決め部材１２の挿通孔１２３に対して回転操作されると、移動部材１３の螺子孔１３３との螺合が調整されて、該移動部材１３を収容溝１１に沿って位置決め部材１２に対して矢印Ａ，Ｂ方向に移動付勢して接離させる。
【００２２】
上記位置決め部材１２と移動部材１３との間には、一対の押圧部材１７（１７）が溝方向と直交する矢印Ｃ，Ｄ方向に移動自在に設けられる。この一対の押圧部材１７は、ばね部材１８が固定ボルト１９を用いて付勢力を接方向に付与するように所定の間隔を有して対向配置される。
【００２３】
一対の押圧部材１７には、それぞれ押圧面１７１が上記収容溝１１の側壁に対向して設けられ、その押圧面１７１と収容溝１１の側壁との間にユニット挿抜溝２０がそれぞれ形成される（図６及び図７参照）。そして、この各ユニット挿抜溝２０には、カード型ユニット２１の一辺が挿入されて挿着される（図８及び図９参照）。このカード型ユニット２１は、例えば印刷基板上に発熱部品である回路部品が実装されて所望の電子機器が形成されている。
【００２４】
また、一対の押圧部材１７には、その溝方向の両端に、一対で台形状の凹部を形成する略Ｌ字状の切欠き部１７２がそれぞれ上記位置決め部材１２及び移動部材１３の傾斜係合部１２１，１３１に対応して設けられる。
【００２５】
これにより、一対の押圧部材１７は、移動部材１３が矢印Ａ方向に移動されて位置決め部材１２に接近されると、その両端の切欠き部１７２に対して移動部材１３の傾斜係合部１３１及び位置決め部材１２の傾斜係合部１２１が係合されて、移動部材１３の矢印Ａ方向の移動に連動して双方で矢印Ｃ，Ｄ方向にそれぞれ押圧される。ここで、一対の押圧部材１７は、それぞれがばね部材１８の付勢力に抗して収容溝１１の底面に沿って矢印Ｃ，Ｄ方向に押し出される如く移動されることで、その押圧面１７１でユニット挿抜溝２０に収容されたカード型ユニット２１を収容溝１１の側壁に圧接固定する（図１０及び図１１参照）。
【００２６】
また、一対の押圧部材１７は、移動部材１３が矢印Ｂ方向に移動されて位置決め部材１２から離間されると、その両端の切欠き部１７２に当接する移動部材１３の傾斜係合部１３１及び位置決め部材１２の傾斜係合部１２１との係合が解除される。すると、一対の押圧部材１７は、ばね部材１８の付勢力により相互が収容溝１１の底面に沿って反転移動されて接近され、その押圧面１７１がカード型ユニット２１から離間されて（図８及び図９参照）、該カード型ユニット２１の収容溝１１からの抜脱が可能となる。
【００２７】
上記構成において、カード型ユニット２１を機器筐体１０の収容溝１１に挿着する場合には、例えば位置決め部材１２及び移動部材１３の固定ボルト１４，１５を緩めて該位置決め部材１２の取付孔１２２及び移動部材１３の取付長孔１３２と固定ボルト１４，１５との遊びにより、収容溝１１内に自由を持たせる。この状態で、２つのカード型ユニット２１を、一対の押圧部材１７の押圧面１７１と収容溝１１の側壁との間に形成されたユニット挿抜溝２０に挿入する。
【００２８】
ここで、位置決め部材１２及び移動部材１３は、２つのカード型ユニット２１の厚さ寸法に応じて、矢印Ｃ，Ｄ方向の位置が可変され、収容溝１１におけるユニット抜脱溝２０の幅寸法が調整される。この状態で、位置決め部材１２及び移動部材１３は、固定ボルト１４，１５が締付けられて、収容溝１１内における矢印Ｃ，Ｄ方向の位置決めが行われ、カード挿抜溝２０の幅寸法が設定される。
【００２９】
そして、位置決め部材１２及び移動部材１３は、操作シャフト１６が回転操作されると、移動部材１３が、その取付長孔１３２内を固定ボルト１５が移動することで、矢印Ａ方向に移動付勢されて相互間が接近される。すると、一対の押圧部材１７は、移動部材１３の矢印Ａ方向への移動により、その一端側の切欠き部１７２に対して位置決め部材１２の傾斜係合部１２１が係合された状態で、その他端側の切欠き部１７２が移動部材１３の傾斜係合部１３１により同方向に押圧される。
【００３０】
これにより、一対の押圧部材１７は、ばね部材１８の付勢力に抗して矢印Ｃ及びＤ方向の離間する方向に移動付勢される。ここで、一対の押圧部材１７は、その押圧面１７１がカード型ユニット２１の一方の面を収容溝１１の側壁方向に押圧してそれぞれをユニット挿抜溝２０内に圧接固定し（図１０及び図１１参照）、カード型ユニット２１を機器筐体１１に対して高効率に熱結合させた状態で、堅牢に位置決め固定して、耐振動性の要求を満足する。
【００３１】
また、カード型ユニット２１をユニット挿抜溝２０から抜脱する場合には、上記操作シャフト１６を反転操作する。すると、移動部材１３は、その取付長孔１３２に挿通された固定ボルト１５に沿って矢印Ｂ方向に位置決め部材から離間する方向に移動され、その傾斜係合部１３１が一対の押圧部材１７の切欠き部１７２から離れて押圧を解除する。同時に、位置決め部材１２は、その傾斜係合部１２１が一対の押圧部材１７の切欠き部１７２から離れて係合が解除される。
【００３２】
ここで、一対の押圧部材１７は、ばね部材１８の付勢力により反転されて、接近する方向に移動され、その押圧面１７１によるカード型ユニット２１の収容溝１１の側壁への押圧を解放する（図８及び図９参照）。これにより、２つのカード型ユニット２１は、収容溝１１内のユニット挿抜溝２０からの抜脱が可能となる。
【００３３】
このように、上記カード固定装置は、機器筐体１０の収容溝１１内に位置決め部材１２に対向して移動部材１３を溝方向に移動操作自在に設けると共に、この位置決め部材１２と移動部材１３との間に一対の押圧部材１７（１７）を、移動部材１３の移動に連動して溝方向と直交する方向に移動自在に設けて、この一対の押圧部材１７（１７）の各押圧面１７１と収容溝１１の両側壁との間にそれぞれカード型ユニット２１を挿抜するユニット挿抜溝２０を形成し、移動部材１３の溝方向への移動操作により一対の押圧部材１７（１７）の各押圧面１７１を、収容溝１１の側壁に対向して接離移動させてユニット挿抜溝２０へのカード型ユニット２１の挿抜を実現するように構成した。
【００３４】
これによれば、２つのカード型ユニット２１を、機器筐体１０の一対の収容溝１１内にそれぞれ配した一対、２組の押圧部材１７で、該一対の収容溝１１に圧接固定して、機器筐体１０に対して所望の耐振動性を有して熱的に結合させて組付けることができるため、高品質な組付けを実現したうえで、ユニット固定に供する構成部品の軽減が図れる。これにより、簡便にして容易なユニット着脱作業が実現されて、その組立て作業を含む保守点検作業性の向上を図ることが可能となる。
【００３５】
なお、上記実施の形態では、機器筐体１０に凹状の収容溝１１を複数対、設けて、その一対の収容溝１１に２つのカード型ユニット２１を挿着する収容溝構造に適用した場合について説明したが、これに限ることなく、その他、一対の収容溝１１を備えた収容溝構造のものにおいても適用可能である。
【００３６】
よって、この発明は、上記実施の形態に限ることなく、その他、実施段階ではその要旨を逸脱しない範囲で種々の変形を実施し得ることが可能である。さらに、上記実施の形態には、種々の段階の発明が含まれており、開示される複数の構成要件における適宜な組合せにより種々の発明が抽出され得る。
【００３７】
例えば実施の形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【符号の説明】
【００３８】
１０…機器筐体、１１…収容溝、１１１…螺子孔、１１２…螺子孔、１２…位置決め部材、１２１…傾斜係合部、１２２…取付孔、１２３…連結用挿通孔、１３…移動部材、１３１…傾斜係合部、１３２…取付長孔、１３３…螺子孔、１４…固定ボルト、１５…固定ボルト、１６…操作シャフト、１７…押圧部材、１７１…押圧面、１７２…切欠き部、１８…ばね部材、１９…固定ボルト、２０…ユニット挿抜溝、２１…カード型ユニット。
【図１】
2010283026.tif 000003
【図２】
2010283026.tif 000004
【図３】
2010283026.tif 000005
【図４】
2010283026.tif 000006
【図５】
2010283026.tif 000007
【図６】
2010283026.tif 000008
【図７】
2010283026.tif 000009
【図８】
2010283026.tif 000010
【図９】
2010283026.tif 000011
【図１０】
2010283026.tif 000012
【図１１】
2010283026.tif 000013